(57)【要約】【課題】装着時、耳たぶに痛みを感じさせず、容易に脱落しない装身具を提供する。【解決手段】耳たぶへの装着が可能な装身具１０であって、金属製の線材を周回させてなる第１の周回部２０と、線材をさらに周回させてなり第１の周回部２０と連なる第２の周回部３０とを備える。第１の周回部２０と第２の周回部３０との間には耳たぶの挿入が可能な隙間部Ｓが設けられている。【選択図】図１
2019084252.tif 000002
【特許請求の範囲】
【請求項１】
耳たぶへの装着が可能な装身具であって、金属製の線材を周回させてなる第１の周回部に、前記線材をさらに周回させてなる第２の周回部が連なっており、第１の周回部と第２の周回部との間には、耳たぶの挿入が可能な隙間部が設けられている装身具。
【請求項２】
前記隙間部は、前記線材を塑性変形させることにより幅の調整が可能である請求項１に記載の装身具。
【請求項３】
第１、第２の各周回部は、いずれも螺旋形状であり，それぞれの螺旋の一端が連なっている請求項１に記載の装身具。
【請求項４】
第１、第２の各周回部は、それぞれの螺旋の他端に装飾体が設けられている請求項３に記載の装身具。
【請求項５】
第１、第２の各周回部は、少なくとも一方の周面に装飾のための模様が施されている請求項３に記載の装身具。
【請求項６】
第１、第２の各周回部は、それぞれの螺旋が円形である請求項３に記載の装身具。
【請求項７】
第１、第２の各周回部は、それぞれの螺旋が矩形である請求項３に記載の装身具。
【請求項８】
第１、第２の各周回部は、一方がリング形状、他方が螺旋形状であり、前記螺旋の一端が前記リングに連なっている請求項１に記載の装身具。
【請求項９】
第１、第２の各周回部のうちのリング形状の周回部は、螺旋形状の周回部と反対側の周面に装飾体が設けられている請求項８に記載の装身具。
【発明の詳細な説明】
【技術分野】
【０００１】
本発明は、耳たぶへの装着が可能な装身具に関する。
【背景技術】
【０００２】
耳たぶへの装着が可能な装身具としてイヤリングがある。イヤリングには種々の形態のものがある。例えば、特許文献１に記載のイヤリングは、Ｕ字状の金属製の支持台と、支持台の一対の脚部のうちの一方の脚部の外側に取り付けられた装飾体と、一方の脚部の内側に取り付けられる前面耳当たり部と、他方の脚部であって前面耳当たり部に対向する位置に設けられる後面耳当たり部と、後面耳当たり部を前面耳当たり部に対して進退動作させるネジ部材とを備えている。
【０００３】
上記のイヤリングを耳たぶに装着するには、ネジ部材により後面耳当たり部を後退させることにより前面耳当たり部と後面耳当たり部との間に耳たぶが入る程度の隙間を形成し、この隙間に耳たぶを挿入する。そして、ネジ部材により後面耳当たり部を前進させて、前面及び後面の各耳当たり部を耳たぶの表側及び裏側に密着させる。前面及び後面の各耳当たり部の圧接力によりイヤリングが耳たぶに係止される。
【先行技術文献】
【特許文献】
【０００４】
【特許文献１】実用新案登録第３１０２５４１号公報
【発明の概要】
【発明が解決しようとする課題】
【０００５】
特許文献１に記載のイヤリングは、前面および後面の各耳当たり部と耳たぶとが接触する面積が小さく、イヤリングを脱落しないよう耳たぶに係止するのに大きい圧接力が必要であり、耳たぶに痛みを感じさせるという問題がある。
【０００６】
本発明は、上記した問題に着目してなされたものであり、装着時、耳たぶに痛みを感じさせず、容易に脱落しない装身具を提供することを目的とする。
【課題を解決するための手段】
【０００７】
本発明による装身具は、耳たぶへの装着が可能な装身具であって、金属製の線材を周回させてなる第１の周回部に、線材をさらに周回させてなる第２の周回部が連なっている。第１の周回部と第２の周回部との間には、耳たぶの挿入が可能な隙間部が設けられる。
【０００８】
本発明による装身具は、第１の周回部と第２の周回部との間の隙間部に耳たぶを滑らせるように挿入することで耳たぶに装着される。第１および第２の各周回部によって耳たぶが挟まれ、第１および第２の各周回部の内面が耳たぶの表裏両面に密着することで、装身具が耳たぶに係止される。耳たぶと装身具との接触面積が大きいので、装身具は耳たぶに安定保持され、容易に脱落しない。耳たぶに受ける圧接力が一点に集中しないので、耳たぶに痛みを感じさせることがない。
【０００９】
好ましい実施態様においては、隙間部は、線材を塑性変形させることにより幅の調整が可能である。
この実施態様によると、第１、第２の各周回部を接近させたり離したりして、隙間部の幅を調整することにより、耳たぶの厚みの大小を問わず、装身具を耳たぶにしっかり装着できる。
【００１０】
本発明の一実施態様においては、第１、第２の各周回部は、いずれも螺旋形状であり，それぞれの螺旋の一端が連なっている。
【００１１】
この実施態様の装身具において、装飾効果を高めるために、好ましくは、第１、第２の各周回部は、それぞれの螺旋の他端に装飾体が設けられている。
この実施形態によると、一方の装飾体が耳たぶの前面に位置するように装身具を耳たぶに装着する。装いや気分等に応じて、他方の装飾体が耳たぶの前面に位置するよう装身具を耳たぶに装着することもできる。
【００１２】
装飾効果を高めるために、他の好ましい実施形態では、第１、第２の各周回部は、少なくとも一方の周面に装飾のための模様が施されている。
この実施形態では、模様が施された周回部が耳たぶの前面に位置するように耳たぶに装着される。
【００１３】
装身具のデザイン性を考慮するとき、第１、第２の各周回部は、それぞれの螺旋が円形であってもよく、矩形であってもよく、さらに、他の形態であってもよい。
【００１４】
本発明の他の実施態様においては、第１、第２の各周回部は、一方がリング形状、他方が螺旋形状であり、螺旋の一端がリングに連なっている。
【００１５】
この実施態様において、装飾効果を高めるために、好ましくは、第１、第２の各周回部のうちのリング形状の周回部は、螺旋形状の周回部と反対側の周面に装飾体が設けられている。
この実施形態では、リング形状の周回部を耳たぶの前面側にして装飾体が耳たぶの前面に位置するように耳たぶに装着される。
【発明の効果】
【００１６】
本発明によれば、耳たぶと装身具との接触面積が大きいので、耳たぶに受ける圧接力が一点に集中せず、装着時、耳たぶに痛みを感じさせず、また、容易に脱落することがない。
【図面の簡単な説明】
【００１７】
【図１】一実施形態の装身具の斜視図である。
【図２】図１に示す装身具の側面図である。
【図３】図１に示す装身具を耳たぶに装着した状態を示す説明図である。
【図４】図１に示す装身具の背面図である。
【図５】第２の周回部の他の例を示す背面図である。
【図６】他の実施形態の装身具の正面図である。
【図７】図６に示す装身具の背面図である。
【図８】図６に示す装身具を耳たぶに装着した状態を示す説明図であり、（Ａ）は第１の周回部が耳たぶの前面に位置するように装着された状態を示し、（Ｂ）は第２の周回部が耳たぶの前面に位置するように装着された状態を示す。
【図９】他の実施形態の装身具を示す斜視図である。
【図１０】図９に示す装身具の側面図である。
【図１１】図９に示す装身具の背面図である。
【図１２】他の実施形態の装身具を耳たぶに装着した状態を示す説明図である。
【図１３】他の実施形態の装身具を耳たぶに装着した状態を示す説明図である。
【発明を実施するための形態】
【００１８】
以下、複数の実施形態について図面を参照して説明する。
図１および図２に示す実施形態は、装着者の耳たぶＥを装飾するためのものであり、左右対称形状の一対の装身具により構成される。
以下の説明では、装着者の右側の耳たぶＥに装着される一方の装身具１０について説明し、左側の耳たぶに装着される他方の装身具の説明は省略する。
なお、一対の装身具は、右側の耳たぶ用と左側の耳たぶ用が必ずしも左右対称の形状である必要はなく、左右非対称の形状のものであってもよい。
また、装身具は、必ずしも１対である必要はなく、いずれか一方の耳たぶＥにだけ装着されるものであってもよい。
【００１９】
図示の装身具１０は、金属製の線材を螺旋状に周回させて形成されたもので、線材を周回させてなる１周目の周回部（以下「第１の周回部」という。）２０と、線材をさらに周回させしてなる２周目の周回部（以下「第２の周回部」という。）３０とを備えている。第１、第２の各周回部２０，３０は、いずれも螺旋形状であってともに一周し、それぞれの螺旋の一端が一連に連なっている。第１の周回部２０と第２の周回部３０との間には、耳たぶＥの挿入が可能な隙間部Ｓが設けられている。
【００２０】
線材は、外圧を加えることにより変形が可能であり、加圧によって弾性限界を越える変形を与えたとき、力を取り去っても変形した形状を保持する性質、すなわち、可塑性を有している。隙間部Ｓは、第１の周回部２０と第２の周回部３０とを接近させたり離したりして、線材を塑性変形させることで、幅の調整が可能である。
以下の説明においては、第１の周回部２０の側を装身具１０の正面、第２の周回部３０の側を装身具１０の背面とする。
【００２１】
第１、第２の各周回部２０，３０は、螺旋の軸方向と直交する面の形状が同じ径の円形である。線材は二周しているので、図４の背面図に示すように、第２の周回部３０の端部３１、すなわち螺旋の終端と、第１の周回部２０の端部２１、すなわち、螺旋の始端とは同じ角度位置Ｐ１にある。第１の周回部２０は、螺旋の始端から一周して螺旋の始端と同じ角度位置Ｐ１までの部分をいう。第２の周回部３０は、角度位置Ｐ１からさらに一周して螺旋の終端までの部分をいう。角度位置Ｐ１は、第１の周回部２０の周回終了位置であって、かつ第２の周回部３０の周回開始位置である。
【００２２】
第１の周回部２０の外周面には、装飾のための模様２２が一周の全長にわたって施されている。この実施形態の模様２２は、複数の半球体が第１の周回部２０の長さ方向に沿って並んだ凹凸模様であるが、模様２２は凹凸形状のものに限らず、どのような態様のものであってもよく、さらに、装飾は、周面の施された模様２２に限らず、例えば、第１の周回部２０の外周面に宝飾体を１個ないしは複数個付設したものであってもよい。
【００２３】
装身具１０は、例えば、ダイカスト（ｄｉｅ−ｃａｓｔｉｎｇ）のような鋳造法により製作されるもので、ワックスと呼ばれる樹脂を削って所望の形状の原型を製作し、その原型に銀合金などの溶融金属を流し込んで固める。その後、成型物の表面にニッケルフリーの金や銀がコーティングされる。
【００２４】
この実施形態の装身具１０を耳たぶＥに装着するには、第１の周回部２０と第２の周回部３０との間の隙間部Ｓを耳たぶＥが入る程度の幅に設定し、この隙間Ｓに耳たぶＥを滑らせるように挿入する。隙間部Ｓの幅が広いとき、第１の周回部２０と第２の周回部３０とを指で挟んで近接させる。第１の周回部２０は耳たぶＥの表面に、第２の周回部３０は耳たぶＥの裏面に、それぞれ密着する。第１、第２の各周回部２０、３０の耳たぶＥへの押圧と、第１、第２の各周回部２０、３０と耳たぶＥとの摩擦力とにより、装身具１０は耳たぶＥに係止される。
【００２５】
装身具１０を耳たぶＥに装着した状態では、図３に示すように、第１の周回部２０の端部２１が耳たぶＥの縁部Ｅａに位置し、第１の周回部２０の全体が耳たぶＥの表面上に位置する。第２の周回部３０は耳たぶＥの裏側に回り込んでいる。
【００２６】
装身具１０の耳たぶＥへの装着時には、第１、第２の各周回部２０、３０の内面全体が耳たぶＥと重なって面接触することが好ましいが、装身具１０が耳たぶＥに係止できれば、必ずしも第１、第２の各周回部２０、３０の内面全体が耳たぶＥに接触していなくてもよい。
【００２７】
装身具１０の装着時、耳たぶＥと装身具１０との接触面積が大きいので、装身具１０の位置ずれが防止され、装身具１０は耳たぶＥに安定保持され、脱落が防止される。仮に、装身具１０が多少位置ずれすることがあっても、耳たぶＥと装身具１０との接触面積が大きいので、装身具１０は容易に脱落しない。耳たぶＥが受ける圧接力が一点に集中せず分散されるので、耳たぶＥに痛みを感じさせない。
【００２８】
なお、この実施形態においては、第１、第２の各周回部２０，３０は、ともに一周するので、第１の周回部２０の端部２１と第２の周回部３０の端部３１とは同じ角度位置Ｐ１上にあるが、耳たぶＥに装身具１０を係止することができれば、第２の周回部３０は必ずしも一周する必要はなく、例えば、図５の背面図に示すように、４分の３周程度、周回したものであってもよい。
【００２９】
図５において、第２の周回部３０の中心角度α、すなわち、螺旋の軸心位置Ｐ０と第２の周回部３０の周回開始位置である角度位置Ｐ１とを結ぶ線ｄ１と、螺旋の軸心位置Ｐ０と第２の周回部３０の周回終了位置（端部３１）である角度位置Ｐ２とを結ぶ線ｄ２とがなす角度αは２７０度である。第２の周回部３０は、中心角度αが２７０度以上、好ましくは３２０度以上、より好ましくは３４０度以上となる円弧形状のものである。
【００３０】
図６および図７は、他の実施形態の装身具１０を示すもので、第１の周回部２０の端部２１に第１の装飾体２３が一体に設けられている。第１の装飾体２３は、図６の正面図に示すように、第１の周回部２０の端部２１から第１の周回部２０の接線方向に延びる先拡がりの支持部材２３ａと、支持部材２３ａの先端に設けられる台座２３ｂと、台座２３ｂに取り付けられる宝飾体２３ｃと、宝飾体２３ｃを台座２３ｂに取り付けるための爪止め２３ｄとを有している。
【００３１】
第２の周回部３０は、図７の背面図に示すように、中心角度αが２７０度の円弧形状を呈しており、第２の周回部３０の端部３１には第２の装飾体３３が一体に設けられている。第２の装飾体３３は、第２の周回部３０の端部３１から第２の周回部３０の接線方向に延びる先拡がりの支持部材３３ａと、支持部材３３ａの先端に設けられる台座３３ｂと、台座３３ｂに接着される真珠３３ｃとを有している。なお、第２の周回部３０は、中心角度αが２７０度の円弧形状のものに限定されるものではない。
【００３２】
第１の装飾体２３の宝飾体２３ｃと第２の装飾体３３の真珠３３ｃとは、図６および図７に示されるように、互いに重なっており、耳たぶＥに装身具１０を装着した際に、宝飾体２３ｃが表側であれば裏側の真珠３３ｃが、真珠３３ｃが表側であれば裏側の宝飾体２３ｃが、それぞれ正面から視認しくくなっている（図８（Ａ）（Ｂ）参照）。なお、第１、第２の各装飾体２３、３３は、本実施形態のものに限定されない。
【００３３】
図８（Ａ）は、第１の周回部２０が耳たぶＥの表面に位置するように装身具１０が耳たぶＥに装着された状態を示しており、第１の装飾体２３が耳たぶＥの表面の側に現れている。図８（Ｂ）は、第２の周回部３０が耳たぶＥの表面に位置するように装身具１０が耳たぶＥに装着された状態を示しており、第２の装飾体３３が耳たぶＥの表面の側に現れている。本実施形態の装身具１０は、第１の周回部２０と第２の周回部３０のいずれかが耳たぶＥの表面に位置するように装着されるもので、装いや気分等に応じてリバーシブルの使用が可能である。
【００３４】
図９および図１０は、装身具１０の他の実施形態を示す。
この実施形態は、第１の周回部２０が円形のリング形状、第２の周回部３０が螺旋形状であり、第１の周回部２０の内周面に第２の周回部３０の一方の端部が連結されている。第１の周回部２０と第２の周回部３０との間には、耳たぶＥの挿入が可能な隙間部Ｓが設けられている。
【００３５】
第１、第２の各周回部３０は、同じ径の円形状であり、第２の周回部３０の他方の端部３１より円弧状をなす第３の周回部４０が延在している。第３の周回部４０は、図１１に示すように、第２の周回部３０の螺旋の軸心位置Ｐ０と第２の周回部３０の端部３１（周回終了位置）の角度位置Ｐ１とを結ぶ線ｄ３と、軸心位置Ｐ０と第３の周回部４０の端部４１の角度位置Ｐ３とを結ぶ線ｄ４とがなす角度α、すなわち、中心角度αが１０度以上、４５度以下に設定される。
【００３６】
第１の周回部２０の外周面には装飾体２４が設けられている。装飾体２４は、複数の凹面状の台座２４ａが周方向に連ねられ、各台座２４ａに真珠２４ｂがそれぞれ接着されたものである。なお、装飾体２４は、図示のものに限られない。その他の構成については、図１の実施形態と同様であり、対応する部分に同一の符号を付すことで説明を省略する。
【００３７】
上記の実施形態では、第１、第２の各周回部２０，３０は円形状であるが、これに限定されず、図１２に示す実施態様のように、矩形状であってもよく、さらに、その他の多角形状、楕円形状などであってもよい。図１２に示す実施形態では、第１、第２の各周回部２０，３０は螺旋形状であり、第１の周回部２０は正方形状、第２の周回部３０は長方形状をなし、第２の周回部３０は第１の周回部２０の下方へ突き出ている。
【００３８】
図１３に示す実施形態は、第１、第２の各周回部２０，３０は、円形をなす螺旋形状であり、第２の周回部３０の螺旋の径を第１の周回部２０の螺旋の径より大きく設定している。第１、第２の各周回部２０，３０の外周面には装飾のための模様２２，３２が全周にわたって連続して施されている。
【００３９】
上記したいずれの実施形態においても、装身具１０の装着時、耳たぶＥと装身具１０との接触面が大きいので、装身具１０の位置ずれが防止され、装身具１０は耳たぶＥに安定保持され、脱落が防止される。仮に、装身具１０が多少位置ずれしても、耳たぶＥと装身具１０との接触面積が大きいので、容易に脱落しない。耳たぶＥが受ける圧接力が一点に集中せず分散されるので、耳たぶＥに痛みを感じさせることがない。
【００４０】
本発明は上記の実施形態に限定されるものではなく、本発明の趣旨を逸脱しない限りにおいて種々の変更が可能である。
【符号の説明】
【００４１】
１０  装身具
２０  第１の周回部
２２，３２  模様
２３  第１の装飾体
２４  装飾体
３０  第２の周回部
３３  第２の装飾体
Ｅ  耳たぶ
Ｓ  隙間部
【図１】
2019084252.tif 000003
【図２】
2019084252.tif 000004
【図３】
2019084252.tif 000005
【図４】
2019084252.tif 000006
【図５】
2019084252.tif 000007
【図６】
2019084252.tif 000008
【図７】
2019084252.tif 000009
【図８】
2019084252.tif 000010
【図９】
2019084252.tif 000011
【図１０】
2019084252.tif 000012
【図１１】
2019084252.tif 000013
【図１２】
2019084252.tif 000014
【図１３】
2019084252.tif 000015